(57)【要約】【課題】ノズル内に整流作用のある段差を設けたヘアードライヤーを提供する。【解決手段】内部に熱源と、ファンと、モータとが備えられ、一端に通気口及び他端に吸気口１６を有する本体ケース１３と、ノズル２５を有するヘアードライヤー１０であって、ノズル２５は、内部に空洞を有し、一方が楕円形状の吹き出し口２９及び他方が本体ケース１３の通気口と接続される円形の接続口とされ、楕円形状の吹き出し口２９の長径部分は、円形状の通気口の径よりも大きくなるように、通気口から吹き出し口２９へ向かうにしたがって湾曲状に広がるように形成され、楕円形状の吹き出し口の短径部分は、円形状の通気口の径よりも小さくなるように、通気口から吹き出し口２９へ向かうにしたがって湾曲状に狭められるように形成され、空洞の内面は、空洞の長手方向の所定の位置で少なくとも２つの段部領域３１に区分され、段部領域の境界部分には段差３２が形成されている。【選択図】  図１
2012019865.tif 000002
【特許請求の範囲】
【請求項１】
内部に熱源と、ファンと、前記ファンを駆動させるモータとが備えられ、一端に通気口及び他端に吸気口を有する本体ケースと、前記本体ケースに装着されたノズルを有するヘアードライヤーであって、
前記ノズルは、内部に空洞を有し、一方が楕円形状に形成された吹き出し口及び他方が前記本体ケースの通気口と接続される円形に形成された接続口となる開口とされ、
前記楕円形状の吹き出し口の長径部分は、前記円形状の通気口の径よりも大きくなるように、前記通気口から前記吹き出し口へ向かうにしたがって湾曲状に広がるように形成され、
前記楕円形状の吹き出し口の短径部分は、前記円形状の通気口の径よりも小さくなるように、前記通気口から前記吹き出し口へ向かうにしたがって湾曲状に狭められるように形成されており、
前記空洞の内面は、前記空洞の長手方向の所定の位置で少なくとも２つの段部領域に区分され、
前記段部領域の境界部分には段差が形成されていることを特徴とするヘアードライヤー。
【請求項２】
前記ノズルは、前記本体ケースに着脱自在に装着されていることを特徴とする請求項１に記載のヘアードライヤー。
【請求項３】
前記段部領域のそれぞれの長さは、前記吹き出し口に向かうにしたがって長くされていることを特徴とする請求項１に記載のヘアードライヤー。
【請求項４】
前記段差は、前記筒状体の内面に環状に形成されていることを特徴とする請求項１に記載のヘアードライヤー。
【請求項５】
前記環状に形成された段差は、前記吹き出し口と平行となるように形成されていることを特徴とする請求項４に記載のヘアードライヤー。
【請求項６】
前記ノズルの外面の対向する面には、前記ノズルの長手方向に沿って、少なくとも１本の溝がそれぞれ形成されていることを特徴とする請求項１〜５のいずれかに記載のヘアードライヤー。
【発明の詳細な説明】
【技術分野】
【０００１】
この発明は、ヘアードライヤーに関し、詳しくはヘアードライヤー内から吹き出される不規則に乱れた風の流れる方向を調え、整流して吹き出すことができるヘアードライヤーに関する。
【背景技術】
【０００２】
ヘアードライヤーは、ヘアードライヤー内に設けられたヒーターによって加熱された温風により整髪等を行うものであるが、従来のヘアードライヤーの内部に備えられたファンから発生する風は不規則に乱れているため、このまま使用すると使用者の整髪等が正しく行い難いという課題がある。そのため、ヘアードライヤーのファンから発生する不規則な風を整え、整流として吹き出させるようにしたヘアードライヤーが知られている。
【０００３】
例えば、下記特許文献１には、風向きの乱れを抑制したヘアードライヤーが開示されている。下記特許文献１に示されたヘアードライヤーは、吐風口及び吸入口を有するハウジングの内部に、ファン、モータ、整流翼及びヒーターを具備するヘアードライヤーにおいて、吐風口のノズルを内側ノズルと外側ノズルとで構成し、内側ノズルに上流側から下流側に向かってノズル中心軸に対し傾斜する傾斜部と傾斜部の下流側において断面ノズル中心軸と略平行に形成された平行部とで形成されている。下記特許文献１に示されているヘアードライヤーによれば、内側ノズルと外側ノズルとからそれぞれ送風されることとなり、このとき内側ノズルにて風向きに乱れを起こさずに熱風の気流を絞ることにより熱風の風量を確保しながら風速を向上することができ、更に外側ノズルからの送風により、熱風の風量を更に確保することができるとされている。
【０００４】
また、下記特許文献２には、整流効果の得られるヘアードライヤーが開示されている。下記特許文献２のヘアードライヤーは、吸入口を有し、ヒーター、ファン及びファンを駆動するモータを内蔵したヘアードライヤーの吹出口に取り付けられる吐出ノズルにおいて、吐出ノズル内部に吐風通路を前後方向に複数個に区画する仕切壁を設け、仕切壁は吐風通路の内側に向かって湾曲する少なくとも一対の隔壁からなり、仕切壁によって区画される開口面積は、ノズル外側壁と１枚の仕切壁によって区画される面積より、複数の仕切壁間で区画される面積が大きくされている。下記特許文献２に示されているヘアードライヤーによれば、吹出口から吐出ノズルに流入した風に気流の変化を起こさせ、吐出ノズルから吐出する風を整流し頭髪の所望箇所に当てることができ、特に仕切壁が内側に湾曲することにより、吐風された風が仕切壁に接する量が多くなるため、整流効果が向上するとされている。
【先行技術文献】
【特許文献】
【０００５】
【特許文献１】特開２００１−２０４５３６号広報
【特許文献２】特開２００９−１９５２６４号公報
【発明の概要】
【発明が解決しようとする課題】
【０００６】
しかし、上記特許文献１に開示されているヘアードライヤーにおいては、内側ノズルを設けることにより内側ノズルより吐風される風の勢いは強くなるが、内側ノズルが平板形状に構成されているため、吐風された風を整える十分な整流効果は得られない。また、上記特許文献２開示されているヘアードライヤーにおいては、整流効果は認められるが、吐出ノズル内部に仕切壁が形成されることで構造が複雑となっているため、掃除等がし難くなり、また、製造コストがかかるという課題もあった。
【０００７】
そこで、本願の発明者は、上記の課題を解決すべく種々検討を行った結果、ヘアードライヤーの本体に装着されるノズルの内部に整流作用のある段差を形成し、このノズルを装着させることにより、吹き出される温風が段差部分を通過することで流れが整えられ、使用者が髪の毛のセットを行いやすくなることを見出し、本発明を完成するに至ったものである。
【０００８】
すなわち、本発明は、ヘアードライヤーの本体に装着されるノズルの内部に段差を設けることで、吹き出される温風の流れを整えることができるヘアードライヤーを提供することを目的とするものである。
【課題を解決するための手段】
【０００９】
上記目的を達成するため、本発明の請求項１に係るヘアードライヤーは、内部に熱源と、ファンと、前記ファンを駆動させるモーターとが備えられ、一端に通気口及び他端に吸気口を有する本体ケースと、前記本体ケースに装着されたノズルを有するヘアードライヤーであって、前記ノズルは、内部に空洞を有し、一方が楕円形状に形成された吹き出し口及び他方が前記本体ケースの通気口と接続される円形に形成された接続口となる開口とされ、前記楕円形状の吹き出し口の長径部分は、前記円形状の通気口の径よりも大きくなるように、前記通気口から前記吹き出し口へ向かうにしたがって湾曲状に広がるように形成され、前記楕円形状の吹き出し口の短径部分は、前記円形状の通気口の径よりも小さくなるように、前記通気口から前記吹き出し口へ向かうにしたがって湾曲状に狭められるように形成されており、前記空洞の内面は、前記空洞の長手方向の所定の位置で少なくとも２つの段部領域に区分され、前記段部領域の境界部分には段差が形成されていることを特徴とする。
【００１０】
また、本発明の請求項２に係るヘアードライヤーは、請求項１のヘアードライヤーにおいて、前記ノズルは、前記本体ケースに着脱自在に装着されていることを特徴とする。
【００１１】
また、本発明の請求項３に係るヘアードライヤーは、請求項１のヘアードライヤーにおいて、前記段部領域のそれぞれの長さは、前記吹き出し口に向かうにしたがって長くされていることを特徴とする。
【００１２】
また、本発明の請求項４に係るヘアードライヤーは、請求項１のヘアードライヤーにおいて、前記段差は、前記筒状体の内面に環状に形成されていることを特徴とする。
【００１３】
また、本発明の請求項５に係るヘアードライヤーは、請求項４のヘアードライヤーにおいて、前記環状に形成された段差は、前記吹き出し口と平行となるように形成されていることを特徴とする。
【００１４】
また、本発明の請求項６に係るヘアードライヤーは、請求項１〜５のいずれかのヘアードライヤーにおいて、前記ノズルの外面の対向する面には、前記ノズルの長手方向に沿って、少なくとも１本の溝がそれぞれ形成されていることを特徴とする。
【発明の効果】
【００１５】
本発明の請求項１に係るヘアードライヤーにおいては、ノズルの空洞の内面には少なくとも２つの段部領域に区分されそれらの境界部分には段差が形成されている。また、ノズルは、これらの段差領域ごとに、円形状に形成された接続口から楕円形状に形成された吹き出し口に向かうにしたがって空洞内の断面積及び断面形状を変化させながら形成されている。そのため、段部領域の境界ごとに形成された段差を通過するごとに、空洞の内径及び形状が変化する。この変化は、吹き出し口の楕円形状に形成された長径部分では吹き出し口に向かうにしたがって広がるように変化し、吹き出し口の楕円形状に形成された短径部分では吹き出し口に向かうにしたがって狭くなるように変化する。そのため、ノズル内を通過する風は、接続口から吹き出し口を通過する間に風速及び風圧に変化が与えられる。
【００１６】
その結果、本発明の請求項１に係るヘアードライヤーによれば、ファンから発生する不規則な風は、ノズルに形成された段差を通過するごとに、風速及び風圧に変化が与えられることで、不規則な風の乱れを整え、整流として吹き出させることができる。また、本発明の請求項１に係るヘアードライヤーによれば、吹き出される風の風圧及び風速を変化させることができるので、波動のような一定の周期で強弱の波がある風が得られ、頭皮に微動の刺激を与えることができ、頭皮及び頭髪の健康維持に寄与することができるようになる。
【００１７】
本発明の請求項２に係るヘアードライヤーによれば、ノズルが本体ケースに着脱自在に装着されているので、掃除や交換が容易となる。
【００１８】
また、本発明の請求項３に係るヘアードライヤーによれば、ノズルの接続口側の段部領域の長さは短く、吹き出し口側の段部領域の長さは長く形成されているので、吹き出される風の風圧及び風速を徐々に整えることができ、吹き出される風の流れを効率よく整えると共に安定した風速の風を吹き出すことができる。
【００１９】
また、本発明の請求項４に係るヘアードライヤーによれば、段差が環状に形成されているので、ノズル内面を通過する風の全体に対して、風圧及び風速を変化させることができるので、より効率よく風の乱れを整え整流とすることができる。
【００２０】
また、本発明の請求項５に係るヘアードライヤーによれば、吹き出し口と平行に段差が形成されているので、吹き出される風を吹き出し口の向きに合わせて整流することができる。
【００２１】
また、本発明の請求項６に係るヘアードライヤーにおいては、ノズルの外面に溝が形成されていることで、吹き出される風によって起こるベンチュリー効果による空気の引き込みが生じ、吹き出される風にノズル周囲の空気を溝に沿わせて混合させることができる。そのため、本発明の請求項６に係るヘアードライヤーによれば、吹き出される温風に外気を混合させることで温度の調節をすることができ、高温の温風により頭皮や頭髪の損傷を抑制することができる。
【図面の簡単な説明】
【００２２】
【図１】本発明に係るヘアードライヤーの一実施形態の斜視図である。
【図２】図１のヘアードライヤーのII−II線での断面図である。
【図３】ノズルの拡大斜視図である。
【図４】図４Ａはノズルの正面図であり、図４Ｂはノズルの一側面図であり、図４Ｃはノズルの他の側の側面図であり、図４Ｄはノズルの平面図である。
【図５】図５Ａは図４ＢのＶＡ−ＶＡ線での断面図であり、図５Ｂは図４ＢのＶＢ−ＶＢ線での断面図である。
【図６】図６Ａはノズル内を通過する温風の流れ状態を示した図５Ａに対応する概略図であり、図６Ｂはノズル内を通過する温風の流れ状態を示した図５Ｂに対応する概略図である。
【図７】吹き出される整流された温風の流れ状態を示した模式図である。
【図８】吹き出される整流された温風と混合される外気との流れ状態を示した模式図である。
【発明を実施するための形態】
【００２３】
以下、図面を参照して、本発明の実施形態を説明する。但し、以下に示す実施形態は、本発明の技術思想を具体化するためのヘアードライヤーを例示するものであって、本発明をこのヘアードライヤーに特定することを意図するものではなく、特許請求の範囲に含まれるその他の実施形態のものにも等しく適用し得るものである。
［実施形態］
図１に示すように、実施形態にかかるヘアードライヤー１０は、筒型をした本体１１とこの本体１１の下面の後端部近くに取り付けられたハンドル１２を備え、ヘアードライヤー１０の温風が送出される部分にはノズル２５が装着されている。ハンドル１２は、本体１１の下面から突出した連結部を支点にして軸支され、折りたたみ可能に本体１１に取り付けられている。また、ハンドル１２には電源スイッチ１４が設けてある。
【００２４】
ヘアードライヤー１０の本体１１には、本体ケース１３が装着されており、本体ケース１３は、前方部分１３ａと後方部分１３ｂからなり、本体ケース１３の後方部分１３ｂには後部カバー１５が取り付けられ、本体ケース１３の前方部分１３ａにはノズル２５が装着されている。本体ケース１３の前方部分１３ａ、後方部分１３ｂ及びノズル２５はポリカーボネートや耐熱性ＡＢＳ樹脂等の耐熱性透明プラスチックの成型品により構成される。なお、本体ケース１３の前方部分１３ａは縦断面の輪郭が前方に向け先細になった略円筒形であり、本体ケース１３の後方部分１３ｂは、短い円筒状で前方部分１３ａに突き合わせて接合されている。
【００２５】
本体ケース１３の後方部分１３ｂの後端には後部カバー１５が取り付けられ、この後部カバー１５は、外気を導入するための複数の孔を設けた吸気口１６が形成され、例えば多数の蜂の巣状の孔を備えた金属板を円形ドーム状に形成されている。本体ケース１３の前方部分１３ａの前端には通気口２１が形成され、この通気口２１は、本体ケース１３からの温風の吹き出し口となっている。なお。この通気口２１にはノズル２５が回動自在に取り付けられているが、ノズル２５の詳細な構成については後述する。
【００２６】
この本体１１の本体ケース１３の内部には、図２に示すように、熱風発生室１７が配置されている。熱風発生室１７は円筒形に形成されており、その外壁１７ａの中に絶縁外筒１７ｂが配置され、熱風発生室１７の先端の外部へ熱風を吹き出す通気口２１部分には吹き出し口グリル（図示省略）が取り付けられている。絶縁外筒１７ｂの内部には、ニクロム線などのヒーター１８が収納され、さらにヒーター１８の後方にはモーター１９が収納され、さらにその後には送風室２０が設けられており、モーター１９に連結された風を送るファン２０ａが設けられている。送風室２０ではモーター１９によりファン２０ａが回転され、後部カバー１５の吸気口１６から取り込んだ外気が熱風発生室１７に送りこまれる。
【００２７】
図２に示すように、熱風発生室１７には複数枚の放熱板２２が、モーター１９を収納する絶縁筒２３から前部にかけて放射状に等間隔で本体１１の軸方向に配置して設けられ、各放熱板２２の外縁をつなぐようにニクロム線など（図示せず）が巻かれている。モーター１９に連結された送風室２０内のファン２０ａの風は、放熱板２２の間を前方のノズル２５に向かって送られる。
【００２８】
次に、図３〜図５を参照して、実施形態にかかるヘアードライヤー１０のノズル２５の詳細な構成について説明する。図３〜図５に示すように、本実施形態のノズル２５は、内部に空洞２５ｅを有し、上面２５ａ、下面２５ｂ及び両側面２５ｃ及び２５ｄで構成された筒状体で形成され、一方には温風が吹き出される吹き出し口２９が楕円形状に形成され、他方には本体ケース１３の通気口２１と接続される円形の接続口３０が形成されている。なお、この接続口３０の周囲には、本体ケース１３と当接される接続部３０ａが形成されている。
【００２９】
このとき、ノズル２５の形状は、楕円形状の吹き出し口２９の長径部分２９ａは、円形状の通気口２１の径よりも大きくなるように、通気口２１から吹き出し口２９へ向かって湾曲状に広がるように形成され、楕円形状の吹き出し口２９の短径部分２９ｂは、円形状の通気口２１の径よりも小さくなるように、通気口２１から吹き出し口２９へ向かって湾曲状に狭められながら形成されている。
【００３０】
また、ノズル２５の内面２６は、空洞２５ｅの長手方向の所定の位置で複数個の段部領域３１に区分され、この隣接した段部領域３１の境界部分には段差３２が形成されている。この段差３２は、ノズル２５の内面２６に環状に形成され、吹き出し口２９と略平行となるように形成されている。なお、形成される段部領域３１の数は少なくとも1つ形成されていればよいが、本実施形態では、段部領域３１が6個形成された場合を例にして説明する。
【００３１】
また、ノズル２５の両側面２５ｃ及び２５ｄの外面２７側には、ノズル２５の長手方向、すなわち、温風が吹き出される方向に沿って、複数本の溝からなる溝部２８がそれぞれ形成されている。
【００３２】
次に、図６〜図８を参照して、実施形態のノズル２５を使用したときの温風の流れについて説明する。
【００３３】
まず、本体ケース１３内のファン２０ａの回転により発生した風は、ヒーター１８で加熱され温風３３となってノズル２５へと向かって進む。このとき、温風３３は不規則で乱れた状態である。その後、温風３３がノズル２５を通過する際、ノズル２５の空洞２５ｅの内面２６に形成された段部領域３１を通過することとなる。このとき、隣接する段部領域３１の境界部分には段差３２が形成されており、ノズル２５の形状は上述したように形成されているため、この隣接するそれぞれの段部領域３１の段面積及び断面形状は異なっている。
【００３４】
そして、この断面積及び断面形状の変化は複数形成された段部領域３１ごとに起こる。この断面積及び断面形状の変化は、吹き出し口２９の楕円形状に形成された長径部分２９ａでは吹き出し口２９に向かうにしたがって広がるように変化し（図５Ａ、図６Ａ参照）、吹き出し口２９の楕円形状に形成された短径部分２９ｂでは吹き出し口２９に向かうにしたがって狭くなるように変化する（図５Ｂ、図６Ｂ参照）。
【００３５】
このように、形成されたノズル２５内を通過する温風３３ａは、図６及び図７に示すように、段部領域３１ごとに風速及び風圧が変化され、この変化が複数回起こることで、不規則に乱れていた温風３３の流れる方向が整えられ、整流された温風３４として吹き出し口２９から吹き出されることとなる。特に、楕円形状の吹き出し口２９の長径部分２９ａと短径部分２９ｂとで、通過する温風３３ａの風速及び風圧に大きな変化を与えることができるので、より高い整流作用を得ることができる。
【００３６】
また、段差３２が環状に形成されていることで、ノズル２５の内面２６を通過する温風３３ａの全体に対して、風圧及び風速を変化させることができるので、より効率よく温風の乱れを整え整流とすることができる。
【００３７】
また、段差３２は吹き出し口２９と平行に形成されているので、ノズル２５を通過する温風３３ａを吹き出し口の向きに合わせて直進的に整流することができる。
【００３８】
さらに、ノズル２５の外面２７の両側面２５ｃ及び２５ｄにはそれぞれ溝部２８が形成されている。この溝部２８が形成されていることにより、吹き出し口２９から吹き出される整流された温風３３ａによってベンチュリー効果が強く生じるため、温風３３ａがノズル２５の周囲にある外気３５を引き込む力が発生し、この外気３５が温風３３ａに混合されることとなる。この外気３５が温風３３ａに混合されるとき、この溝部２８に沿って流れ込むため、流れ込む外気３５の流れる方向も整流され、また風速も上がるので、多くの外気３５が効率よく混合されるようになる（図８参照）。したがって、実施形態のヘアードライヤー１０では、ノズル２５を通過した温風３３ａの流れる方向を整え，整流された温風３４として吹き出させることができると共に、吹き出される整流された温風３４に外気３５を混合させ温度の調節をすることができる。
【００３９】
なお、実施形態のヘアードライヤーは、ニクロム線を利用した電熱式のヘアードライヤーを例として説明したが、これに限らず、他の熱源による加熱方式のヘアードライヤーにも適用できる。
【００４０】
また、実施形態のヘアードライヤーには、上記構成に加え、除菌作用のある例えば銀イオンやマイナスイオンを発生させる機構を備えるようにしてもよい。
【００４１】
また、本実施形態では、温風を吹き出す場合を説明したが、冷風の場合も整流させて吹き出させることができるようになる。
【符号の説明】
【００４２】
１０：ヘアードライヤー
１１：本体
１２：ハンドル
１３：本体ケース
１３ａ：前方部分
１３ｂ：後方部分
１４：電源スイッチ
１５：後部カバー
１６：吸気口
１７：熱風発生室
１７ａ：外壁
１７ｂ：絶縁外筒
１８：ヒーター
１９：モーター
２０：送風室
２０ａ：ファン
２１：通気口
２２：放熱板
２３：絶縁筒
２５：ノズル
２５ａ：上面
２５ｂ：下面
２５ｃ、２５ｄ：側面
２５ｅ：空洞
２６：内面
２７：外面
２８：溝部
２９：吹き出し口
２９ａ：長径部分
２９ｂ：短径部分
３０：接続口
３０ａ：接続部
３１：段部領域
３２：段差
３３、３３ａ：温風
３４：整流された温風
３５：外気
【図１】
2012019865.tif 000003
【図２】
2012019865.tif 000004
【図３】
2012019865.tif 000005
【図４】
2012019865.tif 000006
【図５】
2012019865.tif 000007
【図６】
2012019865.tif 000008
【図７】
2012019865.tif 000009
【図８】
2012019865.tif 000010